(57)【要約】【課題】本発明は、液体気化装置とそれを用いたサウナ装置に関するもので、エネルギー損失を抑制することを目的とするものである。【解決手段】そしてこの目的を達成するために本発明は、吸気口９と排気口１０を有する本体ケース１１と、この本体ケース１１内において前記吸気口９と排気口１０を結んだ送風路１２と、この送風路１２内に設けた送風手段１３と、前記送風路１２の送風手段１３と排気口１０間に設けた気化手段１５とを備え、前記気化手段１５は、内面が逆円錐状となった容器１６と、この容器１６内に水を供給する給水手段１７と、前記容器１６の内壁面に温風を供給する温風手段１８とにより構成したものである。【選択図】図２
2009189540.tif 000002
【特許請求の範囲】
【請求項１】
吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、内面が逆円錐状となった容器と、この容器内に水を供給する給水手段と、前記容器の内壁面に温風を供給する温風手段とにより構成した液体気化装置。
【請求項２】
容器の内底面に円錐台状の突出部を設けた請求項１に記載の液体気化装置。
【請求項３】
容器の内壁面に突起を設けた請求項１または２に記載の液体気化装置。
【請求項４】
突起は半球状とした請求項３に記載の液体気化装置。
【請求項５】
突起は角状とした請求項３に記載の液体気化装置。
【請求項６】
温風手段は、容器の底面部に向けて温風を供給する構成とした請求項１から５のいずれか一つに記載の液体気化装置。
【請求項７】
温風手段からの温風の主体部分が容器内壁面に到達する前の部分に給水手段を設けた請求項１から６のいずれか一つに記載の液体気化装置。
【請求項８】
容器の上方開口縁は、容器内に向けて曲げた請求項１から７のいずれか一つに記載の液体気化装置。
【請求項９】
温風手段は、給水手段停止後も所定時間駆動する構成とした請求項１から８のいずれか一つに記載の液体気化装置。
【請求項１０】
請求項１から９のいずれか一つに記載の液体気化装置の排気口を、サウナ室に開口させたサウナ装置。
【発明の詳細な説明】
【技術分野】
【０００１】
本発明は、液体気化装置とそれを用いたサウナ装置に関するものである。
【背景技術】
【０００２】
例えば、サウナ装置に用いられる液体気化装置の構成は、次のような構成となっていた。
【０００３】
すなわち、吸気口と排気口を有する本体ケースと、この本体ケース内の送風路に設けた送風手段と、この送風手段と排気口間に設けた気化手段とを備え、前記気化手段は、ノズルから液体を噴射させる構成となっていた（例えば、下記特許文献１参照）。
【特許文献１】特開平６−６３１０３号公報
【発明の開示】
【発明が解決しようとする課題】
【０００４】
上記従来例において問題となるのは、エネルギー損失が大きくなっているということであった。
【０００５】
すなわち、従来の液体気化装置は、上述のごとく、ノズルから液体を噴射させることにより液体を微粒化し、気化しているが、このように、ノズルから液体を噴射させるものでは、微粒化できなかった多くの排液が発生し、しかも例えば、サウナ装置においては、この排液は、加熱手段による加熱を行った温水であるので、温水をみすみす排出してしまうことになり、結論として、エネルギー損失が大きくなってしまうものであった。
【０００６】
そこで、本発明は、エネルギー損失を抑制することを目的とするものである。
【課題を解決するための手段】
【０００７】
そして、この目的を達成するために本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、内面が逆円錐状となった容器と、この容器内に水を供給する給水手段と、前記容器の内壁面に温風を供給する温風手段とにより構成し、これにより初期の目的を達成するものである。
【発明の効果】
【０００８】
以上のごとく本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、内面が逆円錐状となった容器と、この容器内に水を供給する給水手段と、前記容器の内壁面に温風を供給する温風手段とにより構成したものであるので、エネルギー損失を抑制することができる。
【０００９】
すなわち、本発明においては、容器内に給水し、それを温風手段からの温風力で、容器内を旋回させながら気化させるので、排水が発生せず、その結果としてエネルギー損失を抑制することができるのである。
【発明を実施するための最良の形態】
【００１０】
以下、本発明の一実施形態を、添付図面を用いて説明する。
【００１１】
図１において、１はサウナ室を示し、このサウナ室１の前面壁２には、ドア３が開閉自在に設けられ、また、内部には浴槽４が設けられている。
【００１２】
また、このサウナ室１の天井面５の開口部６には、液体気化装置７が取り付けられている。
【００１３】
液体気化装置７には温水パイプ８が接続され、また図２に示すごとく、吸気口９と排気口１０を有する本体ケース１１と、この本体ケース１１内において前記吸気口９と排気口１０を結んだ送風路１２と、この送風路１２内に設けた送風手段１３と、前記送風路１２の送風手段１３と吸気口９間に設けた加熱手段１４と、前記送風路１２の送風手段１３と排気口１０間に設けた気化手段１５とを備えた構成となっている。
【００１４】
前記気化手段１５は、図３〜図５に示すごとく、内面が逆円錐状となった容器１６と、この容器１６内に水を供給する給水手段１７と、前記容器１６の内壁面に温風を供給する温風手段１８とにより構成したものである。
【００１５】
さらに詳しく説明すると、容器１６の内底面には図５に示すように円錐台状の突出部１９を設けており、また容器１６の内壁面の突出部１９上方部分から上方に向けて複数の突起２０を設けている。
【００１６】
上記突起２０は半球状となっており、このように半球状とすれば、容易に容器１６内壁面に突起２０を形成することができ、また突起２０を角状とすれば後述するように、旋回する温水の剥離がさせやすいものとなる。
【００１７】
上記温風手段１８はその先端の温風吹出口２１を容器１６の底面部、具体的には円錐台状の突出部１９の裾野部分に向けて温風を供給する構成としている。
【００１８】
また図３に示すごとく、温風手段１８からの温風の主体部分が容器１６内壁面（具体的には円錐台状の突出部１９の裾野部分）に到達する前の部分に給水手段１７を開口させている。
【００１９】
上記構成において、サウナ室１内でサウナを行う時には、先ずは加熱手段１４に温水を供給し、この加熱手段１４が十分に暖まった状態で、送風手段１３を駆動し、続いて温風手段１８からの温風を容器１６内に供給し、その状態で給水手段１７から容器１６内に温水を供給する。
【００２０】
すると、先ずは吸気口９からサウナ室１内の空気が本体ケース１１内に吸い込まれ、その空気は直ちに加熱手段１４で加熱され、この加熱空気が気化手段１５部分を介し、排気口１０からサウナ室１内へと供給されることになる。
【００２１】
この時、気化手段１５においては、容器１６内に上述のごとく温風手段１８からの温風が供給され、またこの容器１６内には給水手段１７から温水も所定の時間的流量で供給されている。
【００２２】
ここで気化手段１５について詳述すると、容器１６内の内壁面（具体的には円錐台状の突出部１９の裾野部分）に温風が供給されると、この容器１６内には、底面から上方に向けて旋回流が発生する。この時、容器１６の内底面に設けられた円錐台状の突出部１９により、温風が当たる部分から内側には流れにくくなり、内壁面に沿った旋回流を起こし易くする。
【００２３】
また温風手段１８からの温風の主体部分が容器１６内壁面（具体的には円錐台状の突出部１９の裾野部分）に到達する前の部分に給水手段１７を開口させているので、給水手段１７から流出した温水は直ちに温風の影響を受けて温風の旋回方向へと流された状態で、容器１６の底面に到達することになる。
【００２４】
そしてその状態で、温水は旋回流となった温風によって、容器１６内壁面を旋回しながら上昇し、その時に突起２０の部分で、容器１６の内壁面から剥離し、気化し、その状態で温風に搬送されて、容器１６の上面開口外へと流出することになる。
【００２５】
この容器１６部分には、上述のごとく送風手段１３からの温風が供給されており、よってこの送風手段１３からの温風に乗って、加湿空気が排気口１０からサウナ室１内へと供給されることになる。
【００２６】
なお、容器１６の上方開口縁には、図５のごとく容器１６内に向けて曲げた湾曲部２２を設けており、よって万が一容器１６内ですべての温水が気化できなかったとしても、非気化温水は湾曲部２２から再び容器１６内へと戻されることになり、その結果として大粒の温水が排気口１０からサウナ室１内へと供給されることはない。
【００２７】
なお、サウナ終了時などには給水手段１７から容器１６内への温水供給が停止されることになるが、この時でも送風手段１３と温風手段１８は、給水手段１７停止後も所定時間駆動する構成としている。
【００２８】
つまり、サウナ終了時でも容器１６内に温水がたまった状態とならぬよう、温風手段１８を、給水手段１７停止後も所定時間駆動し、残水を旋回温風で気化し、送風手段１３からの温風で排気口１０からサウナ室１内へと供給するようになっている。
【００２９】
つまり本実施形態によれば、気化は容器１６内で行われ、しかもサウナ終了操作時にこの容器１６内に残る残温水は少なく、さらにこの残温水も温風手段１８を、給水手段１７停止後も所定時間駆動し、残水を旋回温風で気化し、送風手段１３からの温風で排気口１０からサウナ室１内へと供給するようにしているので、結論として温水を無駄に廃棄することは無く、エネルギー損失が小さくなるのである。
【００３０】
また、残温水の排出が不要となるので、サウナ室１への排液手段を別途設ける必要のないものとなり、設置工事の簡素化も図れるものとなる。
【産業上の利用可能性】
【００３１】
以上のごとく本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、内面が逆円錐状となった容器と、この容器内に水を供給する給水手段と、前記容器の内壁面に温風を供給する温風手段とにより構成したものであるので、エネルギー損失を抑制することができる。
【００３２】
すなわち、本発明においては、容器内に給水し、それを温風手段からの温風力で、容器内を旋回させながら気化させるので、排水が発生せず、その結果としてエネルギー損失を抑制することができるのである。
【００３３】
また、サウナ室への排液手段を別途設ける必要のないものとなり、設置工事の簡素化も図れるものとなる。
【００３４】
したがって、サウナ装置への活用が期待されるものとなる。
【図面の簡単な説明】
【００３５】
【図１】本発明の一実施形態における液体気化装置を用いたサウナ装置の斜視図
【図２】同液体気化装置の断面を示す構成図
【図３】同気化手段の容器の斜視図
【図４】同気化手段の容器の平面図
【図５】同気化手段の容器の断面を示す構成図
【符号の説明】
【００３６】
１    サウナ室
２    前面壁
３    ドア
４    浴槽
５    天井面
６    開口部
７    液体気化装置
８    温水パイプ
９    吸気口
１０  排気口
１１  本体ケース
１２  送風路
１３  送風手段
１４  加熱手段
１５  気化手段
１６  容器
１７  給水手段
１８  温風手段
１９  突出部
２０  突起
２１  温風吹出口
２２  湾曲部
【図１】
2009189540.tif 000003
【図２】
2009189540.tif 000004
【図３】
2009189540.tif 000005
【図４】
2009189540.tif 000006
【図５】
2009189540.tif 000007